(57)【特許請求の範囲】
【請求項１】
水を吐水する吐水ユニットと、
被取付部材の前面側に設けられ、前記吐水ユニットを固定する第一固定部材と、
前記被取付部材の後面側に設けられ、前記第一固定部材に螺合する第二固定部材と、
を備え、
前記第二固定部材は、
前記前面側から操作することで、前記第一固定部材に対して前記第二固定部材を回転させる操作部を有し、
前記第一固定部材は、
前方側に設けられる前方開口部と、
前記前方開口部よりも後方側に配置される後方開口部と
を有し、
前記後方開口部の回転中心は、前記操作部の回転中心と同軸上でかつ前記前方開口部の回転中心に対して偏心した位置に配置される
ことを特徴とする水栓装置。
【請求項２】
前記第二固定部材は、
前記被取付部材の後面側に位置する第一面と、
前記第一面よりも後方側に位置し、前記操作部が設けられる第二面と、
前記第一面と前記第二面とを繋ぐ連結脚と、
前記第一面と前記第二面と前記連結脚とで形成される開口と
を備える
ことを特徴とする請求項１に記載の水栓装置。
【請求項３】
前記第一固定部材は、前記被取付部材の前面に沿う接触部を有し、
前記接触部は、周面に凹凸部を有する
ことを特徴とする請求項１または２に記載の水栓装置。
【請求項４】
前記吐水ユニットは、前記凹凸部と係合することで前記被取付部材へ固定される
ことを特徴とする請求項３に記載の水栓装置。
【発明の詳細な説明】
【技術分野】
【０００１】
開示の実施形態は、水栓装置に関する。
【背景技術】
【０００２】
従来、水栓装置は、吐水ユニットを洗面化粧台や手洗い器、システムキッチン等の水回り機器に取り付けて使用される。吐水ユニットを水回り機器に取り付ける際に施工性、メンテナンス性を高めるために使用者が手洗い動作等を行う使用者側すなわち前面側から施工する技術が知られている。吐水ユニットを前面から施工する構造として、吐水ユニットを水回り機器の被取付部材の後ろ側から前側に挿入し、水栓装置に設けられているネジ山に対して被取付部材の前面から第一固定部材（ナット）を締める。このようにすることで水回り機器に対して吐水ユニットを前面側から施工することができるとともに、第一固定部材の固定が緩んだ場合においても被取付部材の前面に設けられる第一固定部材を操作することで増し締めすることができる（例えば特許文献１参照）。
【先行技術文献】
【特許文献】
【０００３】
【特許文献１】特開平１１−３２４０４４号公報
【発明の概要】
【発明が解決しようとする課題】
【０００４】
しかしながら、被取付部材の前面側に増し締めすることができる操作部を設けてしまうと、いたずら等で固定が緩む方向に操作される恐れがあり、ひどい場合には、固定が完全に外れてしまい水栓装置が水回り機器の裏側に脱落してしまう恐れがある。
【０００５】
実施形態の一態様は、上記に鑑みてなされたものであって、前面側から施工することができるとともにいたずら等で操作部を操作されることを抑制することができる水栓装置を提供することを目的とする。
【課題を解決するための手段】
【０００６】
実施形態の一態様に係る水栓装置は、吐水ユニットと、第一固定部材と、第二固定部材とを備える。吐水ユニットは、水を吐水する。第一固定部材は、被取付部材の前面側に設けられ、吐水ユニットを固定する。第二固定部材は、被取付部材の後面側に設けられ、第一固定部材に螺合する。また、第二固定部材は、前面側から第一固定部材に対して回転する操作部を有する。
【発明の効果】
【０００７】
実施形態の一態様によれば、前面側から増し締めすることができるとともにいたずら等で操作部を操作されることを抑制することができる水栓装置を提供することができる。
【図面の簡単な説明】
【０００８】
【図１】図１は、実施形態に係る水栓装置を示す斜視図である。
【図２】図２は、実施形態に係る水栓装置を示す分解斜視図である。
【図３Ａ】図３Ａは、実施形態に係る水栓装置の吐水ユニットの正面図である。
【図３Ｂ】図３Ｂは、実施形態に係る水栓装置の吐水ユニットの側面図である。
【図３Ｃ】図３Ｃは、実施形態に係る水栓装置の吐水ユニットの底面図である。
【図４】図４は、実施形態に係る水栓装置の第一固定部材が被取付部材に固定された状態を前方側から見た図である。
【図５】図５は、実施形態に係る水栓装置の第二固定部材が被取付部材に固定された状態を後方側から見た図である。
【図６】図６は、実施形態に係る水栓装置が被取付部材に固定された状態の断面図である。
【発明を実施するための形態】
【０００９】
以下、添付図面を参照して、本願の開示する水栓装置の実施形態を詳細に説明する。なお、以下に示す実施形態によりこの発明が限定されるものではない。
【００１０】
図１は、実施形態に係る水栓装置を示す斜視図である。図１に示すように、実施形態に係る水栓装置１は、例えば、手洗い器Ｔに設けられる。手洗い器Ｔは、メイン水栓７と、メインハンドル８と、ボウル４と、排水口５と、被取付部材６と、キャビネット２と、吐水ユニット１０と、を備える。
【００１１】
なお、以下では、図１に示すように、使用者と対面する側を水栓装置１および手洗い器Ｔの前側（正面側）とし、その反対側を後側（背面側）とする。また、使用者から見て左側および右側を水栓装置１および手洗い器Ｔの左側および右側とし、重力方向およびその反対方向を水栓装置１および手洗い器Ｔの下側および上側とする。
【００１２】
メイン水栓７は、被取付部材６（後述する）に取り付けられ、給水源（図示しない）からの水を吐水するものであり、整流吐水、泡沫吐水、シャワー吐水の何れかの吐水形態で吐水する。メイン水栓７は、手洗いや水汲み等の動作に使用され、２〜１０Ｌ／ｍｉｎで吐水する。
【００１３】
メインハンドル８は、メイン水栓７からの吐水、止水および温度調整を行う操作部である。例えば、メインハンドル８を前側に操作するとメイン水栓７からの吐水が開始され、後側に操作すると止水される。また、メインハンドル８を左側に回転させると水温が上がり、右側に回転させると下がる。
【００１４】
ボウル４は、下方に向かって凹んだ凹状に形成されている。排水口５は、ボウル４の底部に設けられる。排水口５は、排水管（図示しない）に接続され、ボウル４に吐水された水を排水管（図示しない）に流す。
【００１５】
被取付部材６は、ボウル４の後方側の上部に設けられ、メイン水栓７、メインハンドル８、吐水ユニット１０（後述する）が取り付けられる。被取付部材６は、例えば板状であり、鉛直方向に延びる。被取付部材６は、鉛直方向に対して傾斜してもよい。被取付部材６は少なくとも鉛直方向に延びる成分を有していればよい。
【００１６】
キャビネット２は、ボウル４の下方に設けられ、キャビネット２に設けられる扉３を開くことで内部に小物等を収納することができる。さらにキャビネット２は、ボウル４を支持する機能を有している。ただし、ボウル４を部屋の壁面に直接取り付けた場合は、キャビネット２は省略可能である。
【００１７】
実施形態に係る水栓装置１は、吐水ユニット１０を備える。吐水ユニット１０は、被取付部材６に取り付けられる。吐水ユニット１０は、メイン水栓７からの吐水形態と異なる吐水形態で吐水される。例えば、噴霧吐水である。さらに、吐水ユニット１０は、メイン水栓７から吐水される水質と異なる水質の水を吐水する。例えば、除菌効果を有する機能水である。この機能水は、例えば水道水を電気分解することによって生成される次亜塩素酸水である。吐水ユニット１０は、排水口５等の菌を除菌する際に使用され、メイン水栓７の流量よりも少ない０．１〜０．５Ｌ／ｍｉｎで吐水する。
【００１８】
次に、吐水ユニット１０を被取付部材６に取り付ける際の取付方法について図２を参照して説明する。図２は、水栓装置１の分解斜視図である。
【００１９】
図２に示すように、水栓装置１は、吐水ユニット１０と、吐水ユニット１０を被取付部材６に固定するための第一固定部材２０および第二固定部材３０を有する。第一固定部材２０は、被取付部材６の前面側に設けられ、被取付部材６の後面側に設けられる第二固定部材３０と螺合接続するための第一螺合部２１を有する。第二固定部材３０は、被取付部材６の後面側に設けられ、被取付部材６の前面側に設けられる第一固定部材２０の第一螺合部２１に外嵌されて第一螺合部２１と螺合する第二螺合部３１を有する。
【００２０】
第一固定部材２０と第二固定部材３０は、被取付部材６に対して前後方向から挟み込むように第一螺合部２１と第二螺合部３１とを螺合させることで被取付部材６に固定される。吐水ユニット１０は、被取付部材６に取り付けられた第一固定部材２０に固定される。
【００２１】
このように、実施形態に係る水栓装置１は、被取付部材６に前後方向から第一固定部材２０と第二固定部材３０とを螺合させ、被取付部材６に固定された第一固定部材２０に吐水ユニット１０を固定することで、簡易な構造で被取付部材６に吐水ユニット１０を取り付けることができる。
【００２２】
しかしながら、第一固定部材２０と第二固定部材３０とを螺合させていることから、施工からの時間経過とともに螺合が緩む恐れがある。さらに、螺合が緩んだ際に再度締め付けることができる操作部３２を有することが好ましいが、この操作部３２を被取付部材６の前面側に設けてしまうと使用者が容易に操作できてしまうため、いたずら等で螺合が緩む方向に操作される恐れがある。この操作部３２を螺合が緩む方向に操作され続けると第一固定部材２０と第二固定部材３０とが螺合しなくなる状態になり、第二固定部材３０が被取付部材６の後方側に脱落する可能性がある。
【００２３】
そこで、実施形態にかかる水栓装置１では、被取付部材６の後面側に第二固定部材３０を設け、第二固定部材３０に被取付部材６の前面側から第一固定部材２０に対して回転する操作部３２を設けることとした。これにより、第一固定部材２０と第二固定部材３０との螺合が緩んだ場合に操作部３２を操作することで再度締め付けることができる。さらに、操作部３２を第二固定部材３０に設けたことにより、操作部３２を被取付部材６の前面側に設けた場合に比べていたずら等で操作される恐れを軽減することができる。さらに、被取付部材６を取り外すなどの面倒な作業を必要とせず、被取付部材６の前面側から操作部３２を操作できるため、施工性およびメンテナンス性が向上する。
【００２４】
次に、吐水ユニット１０の外観の構成について説明する。図３Ａは、実施形態に係る水栓装置１の吐水ユニット１０の正面図である。図３Ｂは、実施形態に係る水栓装置１の吐水ユニット１０の側面図である。図３Ｃは、実施形態に係る水栓装置１の吐水ユニット１０の底面図である。
【００２５】
図３Ａに示すように、吐水ユニット１０は、正面視長方形に形成され、吐水ユニット１０を形成するケーシング１２は、前ケーシング１２ａと、底ケーシング１２ｂと、一対の側ケーシング１２ｃ、１２ｄとを有する。さらに、吐水ユニット１０は、吐水ユニット１０から機能水を吐水するための吐水口１１と、前ケーシング１２ａに設けられ、機能水の吐水開始を操作するスイッチ１４と、吐水ユニット１０内に光源（図示しない）を有し、吐水ユニット１０から吐水している状態で光源からの光を吐水ユニット１０の外部に出す照射口１５とを有する。
【００２６】
次に図３Ｂに示すように、ケーシング１２は、三角柱状でかつ中空状であり、内部空間を有する。ケーシング１２は、この内部空間に吐水ユニット１０の各種部材を収納する。
【００２７】
前ケーシング１２ａは、水平面に対して傾斜する。この例において、前ケーシング１２ａは、下方に向かうにつれて厚みを増すように傾斜している。前ケーシング１２ａの傾斜角度Θ１は、例えば、取付面１２ｅに対して２０°程度（１０°以上３０°以下）である。
【００２８】
底ケーシング１２ｂは、前ケーシング１２ａの下端から取付面１２ｅに向かって延びる。底ケーシング１２ｂは、前ケーシング１２ａの下方に位置する。底ケーシング１２ｂは、前方に向かうにつれて上方に上がるように傾斜している。底ケーシング１２ｂの傾斜角度Θ２は、例えば水平面に対して０°よりも大きく２０°以下である。吐水口１１は、底ケーシング１２ｂに設けられ、下方に向かって吐水する。
【００２９】
吐水ユニット１０は、さらに延伸部１６を備える。延伸部１６は、取付面１２ｅから後方に向かって延伸し、筒状に形成される。ホース４０は延伸部１６の内部に挿入され、接続部１３（図６参照）に接続される。
【００３０】
次に図３Ｃに示すように、吐水口１１は、底ケーシング１２ｂの左右方向において右側に設けられる。吐水口１１は、必ずしも底ケーシング１２ｂの右側に設けることを要せず、左側に設けてもよい。
【００３１】
次に、被取付部材６に固定された第一固定部材２０について図４を参照して説明する。図４は、実施形態に係る水栓装置１の第一固定部材２０が被取付部材６に固定された状態を前方側から見た図である。
【００３２】
図４に示すように、第一固定部材２０は、筒状に形成され、第一固定部材２０を被取付部材６に固定した場合において、前方側から第一固定部材２０を覗くと被取付部材６の後面側を見ることができるように形成されている。また、第一固定部材２０を前方側から見ると、第二固定部材３０の操作部３２が見えるようになっている。このように、前方側から操作部３２を見ることができ、さらに、第一固定部材２０が筒状に形成されているため、前方側から操作部３２を操作することができる。したがって、第一固定部材２０と第二固定部材３０の螺合が緩まった場合であっても被取付部材６の前面側から第一固定部材２０と第二固定部材３０の螺合を強めることができる。
【００３３】
なお、図２に示すように、被取付部材６には、第一固定部材２０の第一螺合部２１と略同径の開口部６１が形成されており、第一固定部材２０の第一螺合部２１が被取付部材６の開口部６１に挿通される。その後、被取付部材６の後方側へ突出した第一固定部材２０の第一螺合部２１に対して第二固定部材３０の第二螺合部３１を螺合させることにより、第一固定部材２０は、被取付部材６に取り付けられる。
【００３４】
次に、第一固定部材２０および第一螺合部２１、操作部３２との位置関係を説明する。第一固定部材２０の前方側の前方開口部２４の中心すなわち、一点鎖線Ｃ１が交差する点を前方開口中心点２４Ｃで表し、第一螺合部２１の回転中心すなわち、二点鎖線Ｃ２が交差する点を第一螺合部回転中心点２１Ｃとして表す。第一固定部材２０は、正面から第一固定部材２０を見た場合において、前方開口中心点２４Ｃと第一螺合部回転中心点２１Ｃとがずれるように形成される。操作部３２の回転中心点は、第一螺合部回転中心点２１Ｃと同軸となるように設けられる。なお、第二螺合部３１の回転中心点は、第一螺合部回転中心点２１Ｃと同軸となるように設けられる。
【００３５】
このように、前方開口中心点２４Ｃと第一螺合部回転中心点２１Ｃとをずらして（偏心させて）形成し、第一螺合部回転中心点２１Ｃと操作部３２の回転中心点を同軸とすることで、前方側から操作部３２を操作して螺合を強めようとした際に、前方開口中心点２４Ｃと第一螺合部回転中心点２１Ｃがずれているため、前方開口中心点２４Ｃと第一螺合部回転中心点２１Ｃとが同軸に配置される場合に比べて、第一固定部材２０に加わる回転力が小さくなる。したがって操作部３２を操作した際に第一固定部材２０が第二固定部材３０と一緒に回転してしまうことを抑制することができる。
【００３６】
さらに、第一固定部材２０は、被取付部材６と接触する接触部２２を有している。接触部２２の外形は円形状に形成され、接触部２２の周面に凹凸形状を有する凹凸部２３を有する。詳細は後述するが、凹凸部２３に吐水ユニット１０を引っ掛けることで、第一固定部材２０と吐水ユニット１０とを固定することができる。
【００３７】
なお、第一固定部材２０は、前方開口部２４よりも後方側、具体的には第一螺合部２１に、前方開口部２４と連通する後方開口部２５を有しており、この後方開口部２５の中心点が上述した第一螺合部回転中心点２１Ｃに相当する。なお、後方開口部２５の開口面積は、前方開口部２４の開口面積と異なる。具体的には、後方開口部２５の開口面積は、前方開口部２４の開口面積よりも小さい。このように、後方開口部２５の開口面積を前方開口部２４の開口面積よりも小さくすることで、被取付部材６の開口部６１を前方開口部２４の大きさとすればよく、開口部６１の開口を小さくすることができる。
【００３８】
次に、被取付部材６に固定された第二固定部材３０について図５を参照して説明する。図５は、実施形態に係る水栓装置１の第二固定部材３０が被取付部材６に固定された状態を後方側から見た図である。
【００３９】
図５に示すように、第二固定部材３０は、筒状に形成され、第二螺合部３１が第一固定部材２０の第一螺合部２１（図２参照）と螺合することで被取付部材６に固定される。
【００４０】
第二固定部材３０は、被取付部材６の後面側に位置する第一面３３と第一面３３よりもさらに後方側に位置する第二面３４を有する。第一面３３と第二面３４は３本の連結脚３５で連結される。連結脚３５同士の間に周方向に開放される開口３６が設けられる。第二面３４には、第二固定部材３０を第一固定部材２０に対して回転させるための操作部３２が設けられる。操作部３２は、例えば六角形の穴であり、この穴の中心点が、操作部３２の中心点（回転中心点）に相当する。
【００４１】
第一固定部材２０と第二固定部材３０との螺合が緩んだ際に、被取付部材６の前方側から六角レンチを操作部３２に挿入して第二固定部材３０を回転させることで、螺合を強めることができる。なお、第二螺合部３１は、第一面３３に設けられる。
【００４２】
次に、水栓装置１が被取付部材６に固定された状態の断面構造について図６を参照して説明する。図６は、実施形態に係る水栓装置１が被取付部材６に固定された状態の断面図である。
【００４３】
図６に示すように、第一固定部材２０は、被取付部材６の前方側から第一螺合部２１が被取付部材６の開口に挿入される。第二固定部材３０は、被取付部材６の後方側に突出した第一固定部材２０と螺合する。より具体的には、被取付部材６の後方側に突出した第一螺合部２１と第二螺合部３１とが螺合することによって螺合する。このように、被取付部材６を挟み込むように第一固定部材２０と第二固定部材３０とが螺合することにより、第一固定部材２０と第二固定部材３０は被取付部材６に取り付けられる。
【００４４】
吐水ユニット１０は、被取付部材６に固定された第一固定部材２０に固定される。具体的には、吐水ユニット１０は、取付面１２ｅに、第一固定部材２０と係合することで固定する係合部１２ｆを有する。係合部１２ｆは、第一固定部材２０の凹凸部２３に係合する。
【００４５】
さらに、吐水ユニット１０は、給水源（図示しない）からの水を吐水ユニット１０に供給するホース４０と接続する接続部１３を有する。接続部１３は、延伸部１６の後端よりも前方側に位置する。
【００４６】
第二固定部材３０は、ホース４０を接続部１３に接続するために、ホース４０が通過する開口３６を有する。開口３６は、第一面３３と第二面３４とを連結する連結脚３５の間に周方向に形成される。開口３６は、開口３６の面積の総和が、周方向の連結脚３５の面積の総和よりも大きくなるように形成される。開口３６の面積の総和を連結脚３５の面積の総和より大きくすることで、第二固定部材３０の操作部３２を操作して第二固定部材３０を回転させた場合において、連結脚３５とホース４０とが干渉して回転しなくなることを抑制することができる。
【００４７】
第一固定部材２０は、第一固定部材２０が被取付部材６に取り付けられた状態において、第一固定部材２０の外側面と第一固定部材２０が挿入される被取付部材６の穴とに隙間がないように形成される。前方開口中心点２４Ｃと第一螺合部回転中心点２１Ｃとがずれて形成される第一固定部材２０（図４参照）において、被取付部材６の穴と第一固定部材２０の外側面との間に隙間をなくすことで、操作部３２を操作した場合でも第二固定部材３０と第一固定部材２０とがともに回転することを防止できる。さらに詳細に説明すると、第一固定部材２０の回転中心は、第一螺合部回転中心点２１Ｃであり、第一螺合部回転中心点２１Ｃを中心に回転することになる。第一螺合部回転中心点２１Ｃを中心に前方開口部２４が回転すると、第一固定部材２０は、前方開口部２４の外周よりも広い範囲で回転しようとすることになるが、被取付部材６と第一固定部材２０との間に隙間がないため、第一固定部材２０が回転しようとすると、被取付部材６と第一固定部材２０とが干渉して第一固定部材２０は回転することができなくなる。
【００４８】
被取付部材６に対してメイン水栓７と吐水ユニット１０が取り付けられる例を挙げて説明したが、吐水ユニット１０だけであってもよい。
【００４９】
吐水ユニット１０の吐水形態として、噴霧吐水の例を挙げて説明したが、必ずしも噴霧吐水であることは要しない。同様に吐水ユニット１０から吐水される水が次亜塩素酸水である例を挙げて説明したが必ずしも次亜塩素酸水であることは要せず、水道水であってもよい。
【００５０】
第一固定部材２０の外側面と被取付部材６の穴との間に隙間がない例について説明したが、第一固定部材２０が回転する際に被取付部材６の穴と干渉すればよく、必ずしも隙間をなくすことは要しない。
【００５１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００５２】
１  水栓装置
２  キャビネット
３  扉
４  ボウル
５  排水口
６  被取付部材
７  メイン水栓
８  メインハンドル
１０  吐水ユニット
１１  吐水口
１２  ケーシング
１３  接続部
１４  スイッチ
１５  照射口
１６  延伸部
２０  第一固定部材
２１  第一螺合部
２２  接触部
２３  凹凸部
２４  前方開口部
２５  後方開口部
３０  第二固定部材
３１  第二螺合部
３２  操作部
３３  第一面
３４  第二面
３５  連結脚
３６  開口
４０  ホース
Ｔ  手洗い器
【図１】
0006686555.tif 000002
【図２】
0006686555.tif 000003
【図３Ａ】
0006686555.tif 000004
【図３Ｂ】
0006686555.tif 000005
【図３Ｃ】
0006686555.tif 000006
【図４】
0006686555.tif 000007
【図５】
0006686555.tif 000008
【図６】
0006686555.tif 000009